(57)【特許請求の範囲】
【請求項１】
２つの信号のうち一方がより広い帯域幅を有しかつ他方がより狭い帯域幅を有する、関連した情報を搬送する信号の対を処理するための信号処理システムであって、前記信号の各々は前記情報を連続の離散的なデータポイントとして表わし、より狭い帯域幅の信号内の時間のある時点での未知のデータポイントの値が、より狭い帯域幅の信号内のその未知のデータポイントの時点を取囲む時間の期間内の、より広い帯域幅の信号内の既知のデータポイントの値を参照して、およびより狭い帯域幅の信号内の既知のデータポイントの値を参照して、導き出され、
未知のデータポイントの時点に先行する、既知のデータポイント間の差が、第１の予め定められた値よりも小さければ、より狭い帯域幅の信号内の未知のデータポイントに先行する既知のデータポイントの値を、未知のデータポイントの値として選択し、
前記差が、前記第１の予め定められた値より大きい第２の予め定められた値よりも大きい場合には、より狭い帯域幅の信号内の未知のデータポイントの後に続く既知のデータポイントの値を、その未知のデータポイントの値として選択する、信号処理システム。
【請求項２】
前記差が、前記第１の予め定められた値よりも大きくかつ前記第２の予め定められた値よりも小さい場合には、前記未知のデータポイントの値はより狭い帯域幅の信号内の先行するデータポイントの値と後に続くデータポイントの値とを平均することによって導き出される、請求項１に記載の信号処理システム。
【請求項３】
前記差は、データポイントが単調に変化している場合に、前記時間の期間にわたる前記より広い帯域幅の信号内の差で除することにより正規化される、請求項１または２に記載の信号処理システム。
【請求項４】
前記差は、データポイントが単調に変化している場合に、ゼロから単位の値の範囲内で正規化され、前記予め定められた値はゼロから単位の値の範囲内であるように選択される、請求項２または３に記載の信号処理システム。
【請求項５】
前記第１の予め定められた値は０．２５であるように選択され、かつ、前記第２の予め定められた値は０．７５であるように選択される、請求項４に記載の信号処理システム。
【請求項６】
前記信号は１つのイメージを表わす、請求項１〜５のいずれかに記載の信号処理システム。
【請求項７】
前記より広い帯域幅の信号は輝度信号であって、前記より狭い帯域幅の信号はクロミナンス信号である、請求項６に記載の信号処理システム。
【請求項８】
前記より広い帯域幅の信号は、より狭い帯域幅の信号の少なくとも２倍の帯域幅を有する、請求項１〜７のいずれかに記載の信号処理システム。
【請求項９】
イメージ処理装置であって、
より広い帯域幅を有する第１の信号と、より狭い帯域幅を有する第２の信号とを供給するためのソースを含み、前記第１および第２の信号は合せて１つのイメージを表わし、さらに、
前記第１および第２の信号を処理して操作された第１および第２の信号を生成するためのプロセッサを含み、操作された第１および第２の信号は合せて操作されたイメージを表わし、さらに、
より広い帯域幅の信号内の情報から、より狭い帯域幅の信号のための付加的な情報を導き出し、かつそれにより、前記第１および第２の信号の、前記イメージを表わす別のフォーマットへの変換を容易にするための、導出回路とを含み、
前記第１および第２の信号の各々は離散的なピクセルとしてイメージを表わし、前記導出回路は、あるピクセルの、より狭い帯域幅の信号によって表わされる未知の値を、そのピクセルおよびそれに隣接する複数のピクセルの、より広い帯域幅の信号によって表わされる既知の値と、隣接する複数のピクセルの、より狭い帯域幅の信号によって表わされる既知の値とから導き出すように構成され、
前記導出回路は、前記未知のピクセル値を、より広い帯域幅の信号内の既知のピクセル間の値の差を判定し、その差を第１の予め定められた値と比較し、かつ、もしその差がその第１の予め定められた値よりも小さければ、より狭い帯域幅の信号内の前記未知のピクセルに先行する既知のピクセルの値を、その未知のピクセルの値として選択することによって導き出すように構成され、
前記導出回路は、前記未知のピクセル値を、前記差を第２の予め定められた値と比較し、かつ、もしその差がその第２の予め定められた値よりも大きければ、より狭い帯域幅の信号内のその未知のピクセルの後に続く既知のピクセルの値を、その未知のピクセルの値として選択することによって導き出すように構成される、イメージ処理装置。
【請求項１０】
前記導出回路は、前記未知のピクセル値を、もし前記差が前記第１の予め定められた値よりも大きくかつ前記第２の予め定められた値よりも小さければ、先行するピクセルと後に続くピクセルの値を平均することによって導き出すように構成される、請求項９に記載のイメージ処理装置。
【請求項１１】
前記より広い帯域幅の信号はイメージの輝度を表わし、前記より狭い帯域幅の信号はイメージのクロミナンスを表わす、請求項９または１０に記載のイメージ処理装置。
【請求項１２】
前記導出回路から出力された信号を、イメージを表わす別のフォーマットの信号に変換するためのコンバータをさらに含む、請求項９から請求項１１のいずれかに記載のイメージ処理装置。
【請求項１３】
モニタをさらに含み、前記コンバータは、前記導出回路からの信号を、モニタ上にイメージを表示するために好適なフォーマットに変換するよう動作可能である、請求項１２に記載のイメージ処理装置。
【請求項１４】
プリンタをさらに含み、前記コンバータは、前記導出回路からの信号を、プリンタによってイメージをプリントするのに好適なフォーマットに変換するよう動作可能である、請求項１２に記載のイメージ処理装置。
【請求項１５】
前記ソースは記憶装置を含み、前記プロセッサは、選択されたピクセルのための前記第１および第２の信号を、その操作のために記憶装置から読出し、かつ、前記操作された第１および第２の信号を記憶装置に書込んで、その選択されたピクセルによって表わされた、記憶装置内に先に記憶されていた第１および第２の信号と置き換えるよう動作可能である、請求項９から請求項１４のいずれかに記載のイメージ処理装置。
【請求項１６】
ユーザが操作可能な入力装置をさらに含み、前記プロセッサは、その入力装置のユーザによる操作に応答して前記処理を行なう、請求項９から請求項１５の
いずれかに記載のイメージ処理装置。
【請求項１７】
１つのフォーマットで多数のピクセルを規定する入来信号を、別のフォーマットで前記多数のピクセルを規定する出ていく信号に変換するための回路であって、ここで入来信号は、各ピクセルのための情報を含む第１の信号と、１つ置きのピクセルのための情報を含む第２の信号とを含み、かつ、出ていく信号は、各々が各ピクセルのための情報を含む複数の信号を含み、前記回路は、
第１の信号内の第０のピクセル値と第１のピクセル値との差および、第１の信号内の互いに異なる第０のピクセル値と第２のピクセル値との差を判定するための微分段と、
前記第０のピクセル値と第１のピクセル値との差を、前記第０のピクセル値と第２のピクセル値との差によって除することにより定数値を生成するための除算段と、
その定数値に従って、第２の信号内の第０のピクセルと第２のピクセルのための値から、第２の信号内の第１のピクセルのための値を計算するための処理段とを含み、
前記処理段は、定数値を第１の予め定められた値と比較して、その第１の予め定められた値が定数値よりも大きいかどうかを判定するための第１のコンパレータと、定数値を第２の予め定められた値と比較して、定数値が第２の予め定められた値よりも大きいかどうかを判定するための第２のコンパレータと、第１のコンパレータからの真の出力に応答して第０のピクセルの値を、また、第２のコンパレータからの真の出力に応答して第２のピクセルの値を、信号内の第１のピクセルの値として選択するためのセレクタとを含む、回路。
【請求項１８】
前記処理段は、前記定数値から逆数の定数値を計算するための減算器と、第２の信号内の第０のピクセル値を逆数の定数値で乗ずることにより第１の中間値を生成するための第１の乗算器と、第２の信号内の第２のピクセル値を定数値で乗ずることにより第２の中間値を生成するための第２の乗算器と、第１の中間値と第２の中間値とを加算して、第２の信号内の第１のピクセルのための値を生成するための加算器とを含む、請求項１７に記載の回路。
【請求項１９】
前記セレクタは、第１のコンパレータおよび第２のコンパレータ両方からの偽の出力に応答するＡＮＤ回路と、ＡＮＤ回路に応答して第２の信号内の第０のピクセルと第２のピクセルの値を２で除するためのシフトレジスタと、シフトレジスタからの２つの除された値を加算して第２の信号内の第１のピクセルのための値を生成するための加算器とを含む、請求項１７または請求項１８に記載の回路。
【請求項２０】
前記セレクタは、第１および第２の予め定められた値と比較された定数値に応じて、第０のピクセルの値、第２のピクセルの値、または加算器によって生成された値のいずれかを、第２の信号内の第１のピクセルの値として選択するための手段をさらに含む、請求項１９に記載の回路。
【発明の詳細な説明】
【０００１】
この発明は、信号処理システムに関する。より特定的にはこの発明は、２つの信号のうち一方がより広い帯域幅を有しかつ他方がより狭い帯域幅を有する、関連した情報を搬送する信号の対を処理するための、信号処理システムに関する。
【０００２】
イメージは、電気的環境において、そのイメージのエレメントの色および強度等の、イメージの属性を規定する信号によって表わすことが可能である。過去において、テレビ画像は、画像のエレメントの輝度（Ｙ）ならびに、色差（Ｒ−Ｙ）および（Ｂ−Ｙ）、すなわちクロミナンスを規定する、アナログ信号によって表わされた。より最近では、テレビ画像を表わすのに、デジタル信号が使用されている。デジタル信号は劣化に対して非常に耐性があり、また、テレビ画像に特別な効果をもたらすよう、容易に処理できる。
【０００３】
１つのデジタル規格、いわゆるＤ１規格では、輝度（Ｙ）信号およびクロミナンス（Ｕ、Ｖ）信号からなる成分信号が使用されるが、これらは４対２対２の割合でサンプリングされる。輝度信号は１３．５ＭＨｚの速度でサンプリングされ、２つのクロミナンス信号は、６．７５ＭＨｚの速度で各々サンプリングされる。換言すれば、デジタル輝度信号は１３．５ＭＨｚの帯域幅を有し、デジタルクロミナンス信号は各々、６．７５ＭＨｚの帯域幅を有する。帯域幅は、画像のディテールの尺度である。４対２対２の割合でのサンプリングとは、テレビ画像内の色の水平解像度が半減されることを意味するが、画像のディテールを含むのは輝度であるため、この水平の色の解像度における半減は、それによってデータ速度を減じることができることから、受入れ可能な妥協である。
【０００４】
Ｄ１信号は、成分信号として、スタジオの作業および作成後の作業に非常に適している。しかしながら、いくつかの状況下では、クロミナンスの帯域幅が減じられたことの直接の結果として、受入れ難い画像の劣化が起こり得る。添付の図面の図１は、たとえば黄と黒との、異なる色の２つのエリア、２および３、ならびに、その２つのエリア間の、急な移行部４とを含む、簡単な画像１を示す。添付の図面の図２は、画像１内のライン６を表わす無限帯域幅の信号５を示す。信号５が無限帯域幅を有することは、その信号が２つのエリア２、３間の移行部４を正確に表わすことができることを意味する。理想的には、輝度信号（Ｙ）およびクロミナンス信号（Ｕ、Ｖ）は、このようにしてライン６を表わすはずである。しかしながら、実際には、信号の帯域幅が限られているために、このようにはならない。添付の図面の図３は、等間隔に配された多数のサンプリング値を含む、輝度信号７を示す。信号７の帯域幅を制限すると、信号内には、画像の境界線４の両側に延在する移行域９が生成される。添付の図面の図４は、信号７の半分の帯域幅を有し、かつクロミナンス信号の１つ（ＵまたはＶ）に対応する、信号１０を示す。信号１０の帯域幅を信号７の帯域幅と比較して半減することで、信号１０を含むサンプリング点１１の数が半減され、かつ、画像の境界線４の両側上の移行域１２のサイズが増大する。
【０００５】
輝度信号７およびクロミナンス信号１０によって表わされる画像がモニタ上に表示されると、２つのエリア２、３間の境界線４は、鮮明な線には見えず、代わりに、黄と黒との間の望ましくない色を含むであろう、ぼやけた領域に見えるだろう。いくつかの状況において、特にそのイメージが連続する映像の部分とは対照的に静的である場合には、この境界線４のぼけは、受入れ難いものである。
【０００６】
この発明は、以上の問題を最小限に抑えることを目的とする。
この発明の１つの局面に従って、一方の信号がより広い帯域幅を有しかつ他方の信号がより狭い帯域幅を有する、関連した情報を搬送する信号の対を処理するための信号処理システムが提供される。このシステムで、より狭い帯域幅の信号のための付加的な情報が、より広い帯域幅の信号内の情報から導き出される。
【０００７】
この発明の別の局面に従って、以下のものを含むイメージ処理装置が提供される。すなわち：より広い帯域幅を有する第１の信号と、より狭い帯域幅を有する第２の信号とを供給するためのソースを含み、その第１および第２の信号が合わせてイメージを表わし、さらに；その第１および第２の信号を処理して、操作された第１および第２の信号を生成するためのプロセッサを含み、操作された第１および第２の信号は合せて操作されたイメージを表わし、さらに；より広い帯域幅の信号内の情報から、より狭い帯域幅の信号のための付加的な情報を導き出し、それにより、その第１および第２の信号を、イメージを表わす別のフォーマットに変換することを容易にするための導出回路を含む、イメージ処理装置である。
【０００８】
この発明のさらなる局面に従って、１つのフォーマットで多数のピクセルを規定する入来信号を、別のフォーマットで前記多数のピクセルを規定する出ていく信号に、変換するための回路が提供される。ここで入来信号は、各ピクセルのための情報を含む第１の信号と、１つ置きのピクセルのための情報を含む第２の信号とを含み、出ていく信号は、各々が各ピクセルのための情報を含む複数の信号を含む。この回路は以下のものを含む。すなわち：第１の信号内の第０のピクセル値と第１のピクセル値との差、および、第１の信号内の第０のピクセル値と第２のピクセル値との差を判定するための微分段と；前記第０のピクセル値と第１のピクセル値との差を、第０のピクセル値と第２のピクセル値との差によって除することにより定数値を生成するための除算段と；前記定数値に従って、第２の信号内の第０のピクセルおよび第２のピクセルのための値から、第２の信号内の第１のピクセルの値を計算するための処理段とを含む。
【０００９】
この発明の以上の特徴およびさらなる特徴は、前掲の請求項内に詳細に述べられているが、添付の図面を参照して与えられた以下のこの発明の実施例の詳細な説明が審理されることにより、それらはその利点と合わせて、より明確になるであろう。
【００１０】
【詳細な説明】
ここで図５を参照して、外部ソース（図示せず）から信号を受信し、かつ記憶装置２２に信号を供給するためのフォーマットコンバータ２１を含む、イメージ処理システム２０が示される。フォーマットコンバータ２１は、入来信号が、ＲＧＢ、ＣＭＹＫ等の、どの便利なフォーマットでも供給されて、このシステムによって処理するために好適なＹＵＶフォーマットに変換されることを可能にするために備えられる。フォーマットコンバータはそれ自体よく知られており、したがって、フォーマットコンバータ２１についてここでこれ以上詳細に説明する必要はないであろう。記憶装置２２は２つの部分２２ａおよび２２ｂを含み、これらはそれぞれ、フォーマットコンバータからのデータの、輝度成分（Ｙ）を表わすデータおよびクロミナンス成分（Ｕ、Ｖ）を表わすデータを記憶する。記憶装置内のデータは多数のピクセルを表わし、これらが合わせて画像を形成する。
【００１１】
添付の図面の図６に示されるように、各ピクセル（ピクセル０、ピクセル１、ピクセル２、等）は、それに関連した輝度データ（Ｙ0 、Ｙ1 、Ｙ2 、等）を有する。１つ置きのピクセル（ピクセル０、ピクセル２、ピクセル４、等）は、それに関連したクロミナンスデータ（Ｕ0 、Ｖ0 、Ｕ2 、Ｖ2 、Ｕ4 、Ｖ4 、等）を有する。クロミナンスデータは、既に上に記載したように、２つのピクセル（たとえばピクセル０とピクセル１）によって共有される。
【００１２】
システム２０はさらにプロセッサ２３を含む。プロセッサ２３は、米国特許第４５１４８１８号および対応する英国特許第２０８９６２５号に記載されるように動作するように構成され、これらの教示がここに引用により援用される。このシステムは、したがって、スタイラスおよび接触タブレットデバイス２４を含み、プロセッサ２３はそれに応答する。記憶装置２２内のＹＵＶデータは、上述の特許内に記載されたように、プロセッサ２３によって処理するのに好適なフォーマットである。このように、プロセッサ２３は、ユーザによるスタイラスおよび接触タブレットデバイスの操作に応答して記憶装置２２からデータを読出し、データを修正してその修正したデータを再び記憶装置２２に書込み、その中に初めに記憶されていたデータと置き換えるように構成される。このようにして、イメージの再接触が、電子的「ペインティング」または「ドローイング」によってなされ得る。
【００１３】
システム２０はさらに導出回路２５を含み、これは、記憶装置２２またはプロセッサ２３から直接ＹＵＶデータを受取るように接続される。以下にさらに詳細に記載されるように、導出回路２５はＵＶ信号のための付加的な情報を対応するＹ信号から導き出して、画像内の各ピクセルに対して別個のＵＶデータを提供するように構成される。換言すれば、図６に示されるように、導出回路２５はピクセル１、ピクセル３、ピクセル５等のためのＵＶデータを導き出す役割を果たす。導出回路２５から出力されたデータは、別のフォーマットコンバータ２６によって受取られ、これはそのデータを所望のフォーマットに変換する。たとえば、フォーマットコンバータ２６は、そのデータを、モニタ２７上にイメージを表示するためのＲＧＢフォーマットに変換するように構成されてもよく、または、そのデータを、プリンタ２８によってイメージをプリントするためにＣＭＹＫフォーマットに変換するよう構成されてもよい。もちろん、コンバータ２６はＲＧＢフォーマットまたはＣＭＹＫフォーマットへの変換に限定されるものではなく、たとえば、データを、ビデオテープレコーダ（ＶＴＲ）等の大容量記憶装置内に記憶するためのいわゆるＤ２フォーマットに変換するよう構成されてもよい。
【００１４】
添付の図面の図７は、導出回路２５をより詳細に示す。導出回路は、３つの隣接するピクセルのための輝度値Ｙ0 、Ｙ1 およびＹ2 を受取るよう接続された、２つの減算器３０、３１を含む。減算器３０は、Ｙ0 とＹ1 との差の絶対値、すなわち、｜Ｙ1 −Ｙ0 ｜を計算するよう配置される。減算器３１は、｜Ｙ2 −Ｙ0 ｜を計算するよう配置される。減算器３０、３１からの値は、除算回路３２に入力され、これは、値Ｋを｜Ｙ1 −Ｙ0 ｜と｜Ｙ2 −Ｙ0 ｜の比として計算する。すなわち、割算器は、｜Ｙ1 −Ｙ0 ｜／｜Ｙ2 −Ｙ0 ｜を計算する。割算器３２から出力された値は、定数値Ｋであるが、この定数値Ｋは、連続ピクセルＹ0 からＹ2 の輝度値から純粋に計算されることが理解されるであろう。
【００１５】
定数値Ｋは、３つの隣接するピクセルの連続内の第０のピクセルと第２のピクセルのためのクロミナンス値Ｕ0 およびＵ2 とともに、セレクタ回路３３に入力される。クロミナンス信号のＶ値は、Ｕ値と全く同じように処理されるので、この説明の残りの部分ではクロミナンス信号のＵ値についてのみ説明する。セレクタ回路３３は、Ｕ0 、Ｕ2 およびＫから、ピクセル１のための抜けている値として使用される値を計算する。すなわち、セレクタはＵ1 のための値を計算する。
【００１６】
セレクタ３３は、２つの異なるモードで作動するよう構成されてもよい。添付の図面の図８は、セレクタ回路３３の第１の実施例を、より詳細に示す。この実施例において、セレクタ回路３３は減算器３４、２つの乗算器３５、３６および加算器３７を含む。減算器３４は、値Ｋを単位に対応する値から減ずるように配置される。値（１−Ｋ）はしたがって、定数Ｋの逆数であるといえる。クロミナンス値Ｕ0 は、逆数定数（１−Ｋ）とともに乗算器３５に入力されて、値（１−Ｋ）Ｕ0 を生成する。クロミナンス値Ｕ2 は、定数Ｋとともに乗算器３６に入力されて、出力ＫＵ2 を生成する。乗算器３５および３６からの出力は、加算器３７に入力され、これは、Ｕ1 ＝（１−Ｋ）Ｕ0 ＋ＫＵ2 に対応する値を出力する。このように、この実施例においてセレクタ３３は、いずれもがピクセル１に隣接するピクセル０およびピクセル２の既知のクロミナンス値と、ピクセル０、ピクセル１およびピクセル２の既知の輝度値から導き出された定数Ｋとから、ピクセル１の未知のクロミナンス値を導き出すように構成される。セレクタ３３はしたがって、Ｕ1 のための値を、Ｕ0 およびＵ2 のための値の重み付け和として計算する。
【００１７】
添付の図面の図９には、セレクタ３３の第２の実施例が示される。この実施例において、セレクタ３３は第１のコンパレータ３９を含み、これは、値Ｋを予め定められた値Ｘと比較し、もしＫがＸよりも小さければ信号を出力する。セレクタ３３はさらに第２のコンパレータ４０を含み、これは、定数値Ｋを予め定められた値Ｙと比較して、もしＫがＹよりも大きければ信号を出力する。コンパレータ３９および４０から出力された信号は、ＡＮＤ回路４１の反転入力端子に印加され、ＡＮＤ回路４１はしたがって、もしＸ＜Ｋ＜Ｙであれば信号を出力する。
【００１８】
クロミナンス信号Ｕ0 およびＵ2 は、シフトレジスタ４２および４３の対に、かつ、それぞれのトライステートバッファ４４、４５に入力される。シフトレジスタはまた、ＡＮＤ回路４１からの出力も受取る。信号を出力するＡＮＤ回路４１に応答して、シフトレジスタ４２、４３は、デジタル値Ｕ0 、Ｕ2 を１つの桁だけ左にシフトさせる。すなわち、シフトレジスタは、デジタル値Ｕ0 およびデジタル値Ｕ2 の両方を２で除する。これら２つのシフトレジスタから出力されたクロミナンスデータは、加算器４６によって加算され、加算器４６は１／２Ｕ0 ＋１／２Ｕ2 に等しい値を出力する。加算器４６からの出力は、トライステートバッファ４７に印加される。トライステートバッファ４４、４５および４７からの出力は、合わせてライン４８に接続される。トライステートバッファ４４は第１のコンパレータ３９からの出力によって駆動され、トライステートバッファ４５は第２のコンパレータ４０からの出力によって駆動される。ライン４８上に出力される値Ｕ1 は、もしＫがＸよりも小さければＵ0 であり、もしＫがＹよりも大きければＵ2 であり、もしＸ＜Ｋ＜Ｙであれば１／２Ｕ0 ＋１／２Ｕ2 である。
【００１９】
ＸおよびＹのためには、もちろん０と１との間のどのような値も選択が可能であるが、実際には、Ｘ＝１／４およびＹ＝３／４の値がうまく作動する。これらのＸおよびＹの値は、計算において、既知のピクセルと未知のピクセルとの間に等しい間隔を提供する。
【００２０】
上に記載されたように導出回路２５内で未知のクロミナンス値を計算することによる効果が、添付の図面の図１０および図１１に示される。図１０は、画像内の１つのラインに沿った距離（ｘ）に従って輝度信号（Ｙ）がどのように変化するかを示す。輝度信号は、そのラインに沿って等間隔に配された、複数のサンプル５１から５５を含む。クロミナンス信号もまた同様に複数の等分に配されたサンプル５６から５８を含むが、それらのサンプル間の間隔は、輝度信号内のそれの２倍である。もし未知の輝度値として、単純に２つの既知の値の平均を取れば、図１１内の破線５９によって示される信号が出来上がるであろう。破線５９は、隣接するサンプル５６と５７、および５７と５８との間の直線上に位置するように取られた、未知の輝度サンプル６０、６１を含む。未知のサンプルの真の値は、ポイント６２および６３によって表わされる。ここで、計算された平均値６０と真の値６２との間に、かつ、計算された平均値６１と真の値６３との間に、相当な差があることが理解されるであろう。
【００２１】
さらに、図１０内の輝度信号の形状が、（同一ではないにせよ）図１１内のクロミナンス信号の形状と同様であることも理解されるであろう。導出回路は、輝度信号の勾配から計算された定数を使用して、未知のピクセル値を導き出す。この計算の効果はしたがって、未知のクロミナンス値の周辺のクロミナンス信号の勾配が、対応するポイントにおける輝度信号の勾配を辿るように、未知のクロミナンス値を生成することである。
【００２２】
添付の図面の図１２および図１３は、未知のクロミナンス値が輝度信号内のピークに対応する位置にある、特別な場合を示す。この状況では、導出回路２５は添付の図面の図１４に示される配列に再構成される。
【００２３】
Ｙ1 とＹ0 との差の値およびＹ1 とＹ2 との差の値は、減算器７０、７１によって計算される。減算器７０、７１から出力される差の値は、コンパレータ７２によって比較される。コンパレータ７２は、もしＹ1 とＹ0 との差がＹ1 とＹ2 との差より小さければ値Ｋ＝０を出力し、もしＹ1 とＹ0 との差がＹ1 とＹ2 との差より大きければ値Ｋ＝１を出力するように構成される。値Ｋは減算器７３に入力され、減算器７３は逆数値（１−Ｋ）を計算する。
【００２４】
値Ｋおよび値（１−Ｋ）は、Ｕ0 およびＵ2 のための値ともに、それぞれの乗算器７４、７５に印加される。乗算器７４、７５から出力された信号は、加算器７６によって加算され、加算器７６の出力は、Ｕ1 のための値に対応する。Ｋを０または１のどちらかに設定することは、図１４に示される導出回路がＵ1 のための値として、値Ｕ0 または値Ｕ2 のどちらかを選択するという効果をもたらす。
【００２５】
図１４および前述の説明の審理から、Ｕ1 のために選択される値が、値Ｕ0 およびＵ2 のうち、近い方のものであることが理解されるであろう。さらに、図１４の回路が、輝度信号内の谷または最小値の付近のクロミナンス値を計算するのにも等しく応用が可能であることが当業者には理解されるであろう。
【００２６】
このように、この発明を好ましい実施例を参照して説明したので、問題の実施例が例示にすぎず、当業者に思い浮かぶであろう修正および変形が、前掲の請求項およびその均等物に述べられたこの発明の精神および範囲から離れることなくなされ得ることが、よく理解されるであろう。
【図面の簡単な説明】
【図１】異なる色の２つのエリアを含む簡単な画像を示した図である。
【図２】図１の画像内の１つのラインを表わす、無限帯域幅の信号を示した図である。
【図３】図１内の１つのラインの輝度を表わす、有限帯域幅の信号を示した図である。
【図４】図１内の１つのラインを表わす、減じられた有限帯域幅の信号を示した図である。
【図５】この発明を実現するシステムの概略的な機能ブロック図である。
【図６】輝度データエレメントおよびクロミナンスデータエレメントを含むピクセルを示した図である。
【図７】図５のシステム内で使用される、導出回路の詳細を示した図である。
【図８】図７の導出回路内で使用される、セレクタ回路の第１の実施例を示した図である。
【図９】図７の導出回路内で使用される、セレクタ回路の第２の実施例を示した図である。
【図１０】輝度信号の一部を示したグラフ図である。
【図１１】クロミナンス信号の、対応する一部を示したグラフ図である。
【図１２】輝度信号の一部を示したグラフ図である。
【図１３】クロミナンス信号の、対応する一部を示したグラフ図である。
【図１４】導出回路の別の構成を示した図である。
【符号の説明】
２０  イメージ処理システム
２１  フォーマットコンバータ
２２  記憶装置
２３  プロセッサ
２５  導出回路
２６  フォーマットコンバータ
【図１】
0004028615.tif 000002
【図２】
0004028615.tif 000003
【図３】
0004028615.tif 000004
【図４】
0004028615.tif 000005
【図５】
0004028615.tif 000006
【図６】
0004028615.tif 000007
【図７】
0004028615.tif 000008
【図８】
0004028615.tif 000009
【図９】
0004028615.tif 000010
【図１０】
0004028615.tif 000011
【図１１】
0004028615.tif 000012
【図１２】
0004028615.tif 000013
【図１３】
0004028615.tif 000014
【図１４】
0004028615.tif 000015